(57)【要約】【課題】照明光を極めて的確に小さな鍵穴に照らし、暗闇での開錠に便利な効果を有する差込部が発光する発光鍵を提供する。【解決手段】前後部分に開口部を設ける中空金属ケース２０と、発光するＬＥＤ灯３０とによって構成され、前記中空金属ケース２０とＬＥＤ灯３０は、同一の対応する形状になっており、前記ＬＥＤ灯は中空金属ケース２０内に固定され、その一端は電源ユニット１０を有する把持部３に固定されており、差込部２００に鍵溝２１を切削して、各鍵溝２１部分や前端からＬＥＤ灯３０が露出し、各鍵溝２１部分や前端から光が出射し、差込部が２００発光する。【選択図】図６
0003105630.tif 000002
【実用新案登録請求の範囲】
【請求項１】
前後部分に開口部を設けるた空金属ケースと、発光するＬＥＤ灯とによって構成され、
前記中空金属ケースとＬＥＤ灯は、同一の対応する形状に形成されており、前記ＬＥＤ灯は中空金属ケース内に固定され、その一端は電源ユニットを有する把持部に固定されていると共に、差込部に鍵溝を切削して各鍵溝部分や前端からＬＥＤ灯を露出させ、各鍵溝部分や前端から光を出射し、差込部が発光することを特徴とする発光鍵。
【請求項２】
前記中空金属ケース、ＬＥＤ灯は、円柱形状や板状に形成したことを特徴とする請求項１に記載の発光鍵。
【請求項３】
前記差込部は、リモコンと組合せ、前記ＬＥＤ灯の電源はこのリモコンの電源から得るようにしたことを特徴とする請求項１に記載の発光鍵。
【請求項４】
前記差込部は、中空金属ケースの中に対応する形状の導光樹脂体を固定し、鍵溝を切削した後、各鍵溝部分から導光樹脂体を露出させ、前記ＬＥＤ灯の光が前記導光樹脂体を伝導することにより、差込部を発光させることを特徴とする請求項１に記載の発光鍵。
【請求項５】
前記ＬＥＤ灯は、レーザーランプに変更したことを特徴とする請求項１に記載の発光鍵。
【請求項６】
前記ＬＥＤ灯の樹脂質本体、導光樹脂体に蛍光剤を混合させて一体に成形し、蛍光効果を得ることを特徴とする請求項１又は４に記載の発光鍵。
【考案の詳細な説明】
【技術分野】
【０００１】
本考案は、照明効果を有する鍵に係り、特に差込部が発光する発光鍵に関する。
【背景技術】
【０００２】
従来の照明効果を有する鍵の大まかな構造は、図１に示すように、鍵溝を有する非中空金属板１の差込部の一端が把持部に固定されており、この把持部の中には電源ユニットが設けられており、前記電源ユニットは電気回路板１１に水銀電池、スイッチ、円形ＬＥＤ灯が設けられたものであり、前記ＬＥＤ灯は把持部から露出しており、ＬＥＤ灯の点灯、消灯により照明効果を達成するものである。  しかしながら、上述の構造の鍵は以下のような欠点が存在する。 
１．差込部は非中空の金属板を採用しているために、導光効果を有しない。そのために、ＬＥＤ灯は差込部から離れた位置にあり、光を差込部（非中空金属板）の先端部に集中させることができず、ゆえに鍵穴を照らす効果に優れず（照度が弱い）、鍵穴を照らしながら鍵を鍵穴に差し込むことができず、ＬＥＤ灯で鍵穴を照らした後、非中空金属板（差込部）を挿入する必要があるために、非常に不便である。 
２．非中空金属板は、導光効果を具有していないために、発光効果を有しておらず、差込部（非中空金属板）本体を発光させるという珍しい視覚効果を与えることができない。
【考案の開示】
【考案が解決しようとする課題】
【０００３】
前記従来構造の鍵構造欠点を解決するために、本考案は、照明光を極めて的確に小さな鍵穴に照らし、暗闇での開錠に便利な効果を有する差込部が発光する発光鍵を提供することを目的とする。 
また、本考案の他の目的は、中空金属ケース内に導光樹脂体を組合せて差込部を構成し、後端に一般の円形ＬＥＤ灯を設置し、鍵溝を切削して導光樹脂体が露出し、光線を露出させることができ、鍵穴を照らす効果を有する差込部が発光する発光鍵を提供するにある。
【課題を解決するための手段】
【０００４】
請求項１に記載の発光鍵は、前後部分に開口部を設ける中空金属ケースと、発光するＬＥＤ灯とによって構成され、前記中空金属ケースとＬＥＤ灯は、同一の対応する形状に形成されており、前記ＬＥＤ灯は中空金属ケース内に固定され、その一端は電源ユニットを有する把持部に固定され、差込部に鍵溝を切削して各鍵溝部分や前端からＬＥＤ灯を露出し、各鍵溝部分や前端から光が露出し、差込部が発光することを特徴とする。
【０００５】
請求項２に記載の発光鍵は、前記中空金属ケース、ＬＥＤ灯は円柱形状や板状に形成したことを特徴とする。 
請求項３に記載の発光鍵は、前記差込部をリモコンと組合せることができ、前記ＬＥＤ灯の電源をこのリモコンの電源から得ることを特徴とする。 
請求項４に記載の発光鍵は、前記差込部を、中空金属ケースの中に対応する形状の導光樹脂体を固定する構成にして、鍵溝を切削した後、各鍵溝部分から導光樹脂体を露出させ、ＬＥＤ灯の光が導光樹脂体を伝導することにより、差込部に発光する効果を有させることを特徴とする。  
請求項５に記載の発光鍵は、前記ＬＥＤ灯を、レーザーランプに変更することができることを特徴とする。  
請求項６に記載の鍵は、前記ＬＥＤ灯の樹脂質本体、導光樹脂体に蛍光剤を混合させて一体に成形し、蛍光効果を得ることを特徴とする。  
【考案の効果】
【０００６】
本考案によれば、差込部が照明効果を有し、照明光を極めて的確に小さな鍵穴に照らし、暗闇での開錠に便利な効果を有する。
【考案を実施するための最良の形態】
【０００７】
以下、図面を参照して本考案の実施例を説明する。
【実施例】
【０００８】
ＬＥＤ灯１４は、中空金属ケース２０の形状に基づいて成形製造される。つまり、樹脂本体３１の形状は、中空金属ケース２０に対応しており、二者を一体に組合せて差込部が構成される。前記ＬＥＤ灯は、樹脂本体３１、発光金属３２、導電線３３によって構成されている。上述の構造の差込部には、把持部３が固定され、この把持部３内に電源ユニット１０が内設されている。この電源ユニット１０は、電気回路板１１、電池１２、スイッチを有しており、ＬＥＤ灯３０の導電線３３を電源ユニット１０に接続した後、必要な鍵溝２１を切削し、前端からＬＥＤ灯３０の樹脂本体３１が露出するだけでなく、各鍵溝２１部分からもＬＥＤ灯３０の樹脂本体３１が露出するように形成される。
【０００９】
通電時、前記ＬＥＤ灯３０は発光し、それにより前端、各鍵溝２１の部分が発光効果を有して、差込部全体が照明効果を有し、前端は極めて的確に小さな鍵穴を照らし、また各鍵溝２１部分も周囲を照らし、鍵溝２１が発光するので、差込部２００が照明効果を有し、美しさ、明らかさを更に増した視覚効果を有するものである。
【００１０】
本考案は、下記のような各種形態を実施することができ、それらも本考案の範囲に含まれる。
【００１１】
１．図８、９は、中空金属ケースを円柱形金属ケース２２にしたものであり、ＬＥＤ灯３０はそれに対応して円柱形をしており、同じように差込部が発光効果を有することができる。
【００１２】
２．図１０は本考案の差込部をリモコン４０に組合せたものであり、発光のための電源はリモコン４０の電池から供給される。
【００１３】
３．図１１，１２はＬＥＤ灯と差込部５００をそれぞれ独立した個体にしてさらに組合せたもので、中空金属ケース２０の後端に凹溝２３を設け、この後端に凹溝５１を有する導光樹脂体５０を組合せ、全体を発光ユニット１０を具有する把持部３と組合せ、前記発光ユニット１０に一般の丸い粒形のＬＥＤ灯１４が設けられ、このＬＥＤ灯１４は凹溝２３，５１に収容されており、このＬＥＤ灯１４は発光し、差込部５００は鍵溝２１を切削して導光樹脂体５０が露出し、それにより導光樹脂体５０がＬＥＤ灯１４の光線を伝導することによって前端、各鍵溝２１が発光効果を有するものである。
【００１４】
４．その他、本考案の実施例において採用したＬＥＤ灯１４，３０は、レーザーランプに変更することができ、投射効果を強めることができる。また、前記樹脂本体３１及び導光樹脂体５０に蛍光剤を混合し、蛍光効果を具有させることもできる。
【００１５】
上述をまとめると、本考案は、従来構造の非中空金属板（軸）による鍵の差込部の形式を大幅に改良し、差込部に発光効果を具有させ、さらに優れた、照明効果を達成するものである。
【図面の簡単な説明】
【００１６】
【図１】従来構造の発光装置を備える鍵の断面図である。
【図２】本考案一実施例の立体分解図である。
【図３】本考案一実施例における把持部を設置した、鍵溝を切削する前の様子を示す立体図である。
【図４】本考案一実施例における把持部を設置し、鍵溝を切削した後の様子を示す立体図である。
【図５】本考案一実施例における鍵溝を切削する前の断面図である。
【図６】本考案一実施例における鍵溝を切削した後の断面図である。
【図７】本考案一実施例における横方向の断面図である。
【図８】本考案の円柱形を呈する実施例における断面図である。
【図９】本考案の円柱形を呈する実施例における横方向の断面図である。
【図１０】本考案をリモコン装置に設置した実施例を示す立体図である。
【図１１】本考案とＬＥＤ灯を別々に独立させて組合せた実施例における立体分解図である。
【図１２】本考案とＬＥＤ灯を別々に独立させて組合せた実施例における断面図である。
【符号の説明】
【００１７】
１    非中空金属板
１１  電気回路板
１２  電池
１３  スイッチ
１４  ＬＥＤ灯
２    鍵溝
２０  中空金属ケース
２００差込部
２１  鍵溝
２２  円柱形金属ケース
２３  凹溝
３    把持部
３０  ＬＥＤ灯
３１  樹脂質本体
３２  発光金属
３３  導電線
４０  リモコン
５０  導光樹脂体
５００差込部
５１  凹溝
代理人  弁理士    伊藤  進
【図１】
0003105630.tif 000003
【図２】
0003105630.tif 000004
【図３】
0003105630.tif 000005
【図４】
0003105630.tif 000006
【図５】
0003105630.tif 000007
【図６】
0003105630.tif 000008
【図７】
0003105630.tif 000009
【図８】
0003105630.tif 000010
【図９】
0003105630.tif 000011
【図１０】
0003105630.tif 000012
【図１１】
0003105630.tif 000013
【図１２】
0003105630.tif 000014